(57)【要約】【課題】  無線通信システムにおいてアクセス可能なＣＳＧセルのリストを供給することが可能なクローズド・サブスクライバー・グループ（ＣＳＧ）ホワイトリストを有するモバイル機器に対して近接情報送信を扱う方法を提供する。【解決手段】  当該方法は、ＣＳＧホワイトリストにおけるＣＳＧセルが検出される場合、無線通信システムのネットワークへ近接情報を送信するステップ、及びその近接情報がネットワークによって受信されない場合、その近接情報をそのネットワークへ再送信するステップを含む。【選択図】図１
2011097591.tif 000002
【特許請求の範囲】
【請求項１】
クローズド・サブスクライバー・グループ（ＣＳＧ）ホワイトリストを有し、該ホワイトリストが、無線通信システムにおいてアクセス可能なＣＳＧセルのリストを供給することが可能であるモバイル機器に対して近接情報送信を扱う方法であり：
前記ＣＳＧホワイトリストにおけるＣＳＧセルが検出される場合、前記無線通信システムのネットワークへ近接情報を送信するステップ；及び
該近接情報が前記ネットワークによって受信されない場合、該近接情報を該ネットワークへ再送信するステップ；
を含む方法。
【請求項２】
請求項１に記載の方法であり、前記近接情報が前記ネットワークによって受信されない場合に該近接情報を該ネットワークへ再送信するステップが：
前記近接情報が、ハンドオーバ手順又は無線リソース制御（ＲＲＣ）接続再設立手順が原因で前記ネットワークによって受信されない場合、該近接情報を該ネットワークへ再送信するステップ；
を含む方法。
【請求項３】
請求項１に記載の方法であり、前記近接情報が前記ネットワークによって受信されない場合に該近接情報を該ネットワークへ再送信するステップが：
近接情報送信確認のための肯定応答が受信されない場合、前記近接情報を前記ネットワークへ再送信するステップ；
を含む方法。
【請求項４】
クローズド・サブスクライバー・グループ（ＣＳＧ）ホワイトリストを有し、該ホワイトリストが、無線通信システムにおいてアクセス可能なＣＳＧセルのリストを供給することが可能であるモバイル機器に対して近接情報送信を扱う方法であり：
前記ＣＳＧホワイトリストにおけるＣＳＧセルの近傍に入る場合、前記無線通信システムの第１基地局へ近接情報を送信するステップ；
前記無線通信システムの前記第１基地局から第２基地局への接続転送を実施するステップ；及び
前記ＣＳＧホワイトリストにおけるＣＳＧセルの近傍に留まる場合、前記接続転送が完了した後に、前記近接情報を前記第２基地局へ再送信するステップ；
を含む方法。
【請求項５】
請求項４に記載の方法であり、前記無線通信システムの前記第１基地局から前記第２基地局への接続転送を実施するステップが：
該第１基地局から該第２基地局へ接続を転送するためにハンドオーバ手順又はＲＲＣ接続再設立手順を実施するステップ；
を含む方法。
【請求項６】
請求項４に記載の方法であり：
前記ＣＳＧホワイトリストにおけるＣＳＧセルの近傍を出る場合及び前記第１基地局が、前記モバイル機器が前記ＣＳＧホワイトリストにおけるＣＳＧセルの近傍に入るという信号伝達を前記第２基地局へした場合、前記接続転送が完了した後に、第２近接情報を前記第２基地局へ送信するステップ；
をさらに含む方法。
【請求項７】
請求項４に記載の方法であり：
前記ＣＳＧホワイトリストにおけるＣＳＧセルの近傍を出る場合及び前記第１基地局が、前記モバイル機器が前記ＣＳＧホワイトリストにおけるＣＳＧセルの近傍に入るという信号伝達を前記第２基地局へしない場合、前記接続転送が完了した後に、近接情報を該第２基地局へ送信しないステップ；
をさらに含む方法。
【請求項８】
無線通信システムにおける第１基地局に対して近接情報を扱う方法であり：
該無線通信システムのモバイル機器から近接情報を受信するステップ；及び
前記モバイル機器が前記第１基地局から第２基地局へ接続を転送する場合、該モバイル機器が、該モバイル機器に含まれるＣＳＧホワイトリストにおけるＣＳＧセルの近傍に入るという信号伝達を前記無線通信システムの第２基地局へするステップ；
を含む方法。
【請求項９】
請求項８に記載の方法であり：
前記モバイル機器が前記第１基地局から前記第２基地局へ接続を転送する場合、システム情報報告設定の信号伝達を前記無線通信システムの第２基地局へするステップ；  
をさらに含む方法。
【請求項１０】
近接情報送信を扱うための無線通信システムの通信装置であり、該通信装置は、アクセス可能なＣＳＧセルのリストを供給することが可能なクローズド・サブスクライバー・グループ（ＣＳＧ）ホワイトリストを有し：
前記ＣＳＧホワイトリストにおけるＣＳＧセルが検出される場合、前記無線通信システムのネットワークへ近接情報を送信する手段；及び
該近接情報が該ネットワークによって受信されない場合、該近接情報を再送信する手段；
を有する通信装置。
【請求項１１】
請求項１０に記載の通信装置であり、前記近接情報が前記ネットワークによって受信されない場合に該近接情報を再送信する手段が：
前記近接情報が、ハンドオーバ手順又は無線リソース制御（ＲＲＣ）接続再設立手順が原因で前記ネットワークによって受信されない場合、該近接情報を該ネットワークへ再送信する手段；
を有する通信装置。
【請求項１２】
請求項１０に記載の通信装置であり、前記近接情報が前記ネットワークによって受信されない場合に該近接情報を再送信する手段が：
近接情報送信確認のための肯定応答が受信されない場合、前記近接情報を前記ネットワークへ再送信する手段；
を有する通信装置。
【請求項１３】
近接情報送信を扱うための無線通信システムの通信装置であり、該通信装置は、アクセス可能なＣＳＧセルのリストを供給することが可能なクローズド・サブスクライバー・グループ（ＣＳＧ）ホワイトリストを有し：
前記ＣＳＧホワイトリストにおけるＣＳＧセルの近傍に入る場合、前記無線通信システムの第１基地局へ近接情報を送信する手段；
前記無線通信システムの第１基地局から第２基地局への接続転送を実施する手段；及び
前記ＣＳＧホワイトリストにおけるＣＳＧセルの近傍に留まる場合、前記接続転送が完了した後に、前記近接情報を前記第２基地局へ再送信する手段；
を有する通信装置。
【請求項１４】
請求項１３に記載の通信装置であり、前記無線通信システムの前記第１基地局から前記第２基地局への接続転送を実施する手段は：
前記接続を前記第１基地局から前記第２基地局へ転送するためにハンドオーバ手順又はＲＲＣ接続再設立手順を実施する手段；
を有する通信装置。
【請求項１５】
請求項１３に記載の通信装置であり：
前記ＣＳＧホワイトリストにおけるＣＳＧセルの近傍を出る場合及び前記第１基地局が、前記モバイル機器が前記ＣＳＧホワイトリストのＣＳＧセルの近傍に入るという信号伝達を前記第２基地局へする手段；
をさらに有する通信装置。
【請求項１６】
請求項１３に記載の通信装置であり：
前記ＣＳＧホワイトリストにおけるＣＳＧセルの近傍を出る場合、及び前記第１基地局が、前記モバイル機器が前記ＣＳＧホワイトリストにおけるＣＳＧセルの近傍に入るという信号伝達を前記第２基地局へしない場合、前記接続転送が完了した後に、近接情報を該第２基地局へ送信しない手段；
をさらに有する通信装置。
【請求項１７】
近接情報を扱うための無線通信システムの第１基地局であり：
該無線通信システムのモバイル機器から近接情報を受信する手段；及び
該モバイル機器が、前記第１基地局から前記第２基地局へ接続を転送する場合、前記モバイル機器が該モバイル機器に含まれるＣＳＧホワイトリストにおけるＣＳＧセルの近傍に入るという信号伝達を前記無線通信システムの第２基地局へする手段；
を有する第１基地局。
【請求項１８】
請求項１７に記載の第１基地局であり：
前記モバイル機器が前記第１基地局から前記第２基地局へ接続を転送する場合、システム情報報告設定の信号伝達を前記無線通信システムの第２基地局へする手段；
をさらに有する第１基地局。
【発明の詳細な説明】
【技術分野】
【０００１】
本出願は、２００９年１０月３０日に出願された「Ｍｅｔｈｏｄｓ  ｔｏ  ｔｒａｎｓｍｉｔ  ｐｒｏｘｉｍｉｔｙ  ｉｎｄｉｃａｔｉｏｎ  ｉｎｆｏｒｍａｔｉｏｎ  ｉｎ  ｗｉｒｅｌｅｓｓ  ｃｏｍｍｕｎｉｃａｔｉｏｎｓ  ｓｙｓｔｅｍ」と題する米国特許仮出願第６１／２５６，３１７号及び２００９年１２月３０日に出願された「Ｍｅｔｈｏｄｓ  ｔｏ  ｒｅｐｏｒｔ  ｐｒｏｘｉｍｉｔｙ  ｉｎｄｉｃａｔｉｏｎ  ｉｎｆｏｒｍａｔｉｏｎ  ａｆｔｅｒ  ｈａｎｄｏｖｅｒ  ｉｎ  ｗｉｒｅｌｅｓｓ  ｃｏｍｍｕｎｉｃａｔｉｏｎ  ｓｙｓｔｅｍ」と題する米国特許仮出願第６１／２９０，８９０号の利益を主張し、該文献は、全体として本文献に取り入れられる。
【０００２】
本出願は、無線通信システム及びその通信装置に使用される方法に関し、さらに具体的には、無線通信システムにおける近接情報送信を扱う方法及び関連する通信装置に関する。
【背景技術】
【０００３】
３ＧＰＰ（第３世代パートナーシップ・プロジェクト）によって開始された長期的発展型無線通信システム（ＬＴＥシステム）は、現在、新しい無線インターフェース及び高いデータ転送速度、低いレイテンシ、パケット最適化、改善されたシステム容量及び受信地域を提供する無線ネットワーク・アーキテクチャとして考慮されている。ＬＴＥシステムにおいて、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、複数のｅＮＢｓ（ｅｖｏｌｖｅｄ  Ｎｏｄｅ−Ｂｓ）を含み、ユーザー装置（ＵＥｓ）としても呼ばれる複数のモバイル・ステーションと通信する。
【０００４】
ＬＴＥシステムにおいて、ＣＳＧ（クローズド・サブスクライバー・グループ）のフィーチャーをサポートするＵＥは、それがネットワークによって近接情報報告を設定されている場合、ＣＳＧ／ハイブリッド・セルへのインバウンド・モビリティ（すなわち、ハンドオーバ）をトリガーするために、近接情報をそのネットワークへ送信する。そのＣＳＧフィーチャーをサポートするＵＥは、ＵＥがアクセスすることを許可されているＣＳＧセルに付随する１つ又はそれ以上のＣＳＧアイデンティティーを含むＣＳＧホワイトリストを有する。そのＣＳＧセルは、家又はオフィスでの帯域幅の高い無線インターネット・アクセス及び屋内の受信範囲における効率的且つ費用効果の高い容量などの大きな利点を有するために設置される小受信範囲基地局に付随している。一方、ハイブリッド・セルは、ＵＥによってＣＳＧセル（それのＣＳＧホワイトリストはセルのＣＳＧアイデンティティーを含む）としてアクセスされ、あるいは他の全てのＵＥによって通常のセルとしてアクセスされる。
【０００５】
インバウンド・モビリティの動作に関しては、ＵＥがＣＳＧホワイトリストにおけるＣＳＧセルの近傍に入ることをそのＵＥが検出する場合、近接情報はネットワーク（例えば、Ｅ−ＵＴＲＡＮ、ｅＮＢ、又は基地局）へ送信される。そのネットワークは、必要な場合、測定ギャップを含んだ測定設定で、近接情報が受信された後にＵＥを設定する。そのＵＥは、ＣＳＧセルに対して測定を実施し、ハンドオーバに備えてネットワークへ測定レポートを生成する。さらに、ネットワークは、システム情報（ＳＩ）報告を設定する。ＵＥは、そのＣＳＧセルのシステム情報を読み込み、次に、そのＣＳＧセルのＣＳＧアイデンティティーを含むＳＩレポートをネットワークへ送信する。そうすることによって、そのネットワークは、そのＣＳＧセルがＣＳＧアイデンティティー及びＵＥのＣＳＧホワイトリストに基づいてアクセスが許可されているかどうかをチェックすることができる。言いかえれば、そのネットワークは、測定レポート及びＳＩレポートに従って、ＵＥをＣＳＧセルへハンドオーバするかどうかを決定し、ネットワークがそのＵＥをＣＳＧセルへハンドオーバすると決めた場合、ハンドオーバ・コマンドを送信する。
【０００６】
さらに、ネットワークへ「入る（ｅｎｔｅｒｉｎｇ）」近接情報を送信した後に、ＵＥがもはやそれが入ったＣＳＧセルの近傍にないと決定した場合、ＵＥは、そのネットワークに「出る（ｌｅａｖｉｎｇ）」近接情報を送信してもよい。そうでなければ、そのネットワークは、そのＵＥが出たことを知らず、そのＵＥに、それが出たＣＳＧセルに測定を実施するように要求するかもしれないことから、無線リソースを無駄にしてしまう。
【０００７】
しかし、ＬＴＥシステムにおける近接情報送信に関する不明確なスペックが原因で、ＵＥは、そのＣＳＧ／ハイブリッド・セルへのインバウンド・モビリティを実施しないかもしれない。さらに、いくつかの状況が以下において説明される。
【０００８】
第１状況において、ＵＥによって送信された近接情報は、ハンドオーバ又はＲＲＣ接続再設立手順（例えば、無線リンク故障、ＲＬＣ回復不能エラー、ＭＡＣランダム・アクセス・エラーなどによる）が原因でネットワークによって受信されないかもしれない。その近接情報がネットワークによって受信されない場合、ＣＳＧ／ハイブリッド・セルへのインバウンド・モビリティは、ＵＥがそのＵＥのＣＳＧホワイトリストにおけるＣＳＧセルの近傍に入ることをネットワークは知らないため、開始することはできない。従って、そのＵＥのユーザーは、そのＵＥがなぜＣＳＧセルを通信に使用出来ないかと不満を述べるかもしれない。そのインバウンド・モビリティの動作に関する詳細な説明は上記において参照できるため、ここでは除外される。
【０００９】
第２状況において、ＵＥは、第１ｅＮＢへ接続し、ＣＳＧアイデンティティーがそのＵＥのＣＳＧホワイトリスト内にあるセルの近傍に入る。従って、ＵＥは近接の指示を、インバウンド・モビリティに対する第１ｅＮＢに送信する。その間、第１ｅＮＢは、第２ｅＮＢにＵＥをハンドオーバするように命令するために、ハンドオーバ・コマンドを送信する。さらに、そのハンドオーバ・コマンドは、ＵＥが第２ｅＮＢに近接情報を送信することが許可されるように、近接指示報告を有効化する。しかし、ＵＥは、それが第２ｅＮＢにハンドオーバされた後でも、いまだにそれらのセルの近くにある。言いかえれば、ＵＥは、第２ｅＮＢへのハンドオーバの後に、それらのセルの近くから出て行かない。この状況において、ＵＥはセルの近傍を決して出ないことから、近接情報を送信しない。従って、第２ｅＮＢは、ＵＥがセルの近傍にあることを知らないことから、そのＵＥをＣＳＧセルにハンドオーバできない、又はＵＥシステム情報（ＳＩ）報告を設定できない。
【００１０】
それに加えて、第１ｅＮＢに接続しているＵＥは、ＳＩ報告の設定がされる。ＵＥは、ネットワークがそのＣＳＧセルがＣＳＧアイデンティティーに従ってアクセスが許可されるかどうかを決定できるように、そのＣＳＧアイデンティティーを含むＳＩレポートをそのネットワークへ送信する。しかし、ＵＥが第２ｅＮＢへハンドオーバされた後に、そのＵＥは、第１ｅＮＢからのＳＩ報告設定が除去されていることから、ＳＩレポートを送信しない。従って、第２ｅＮＢは、ＵＥからＳＩレポートを受信しないことから、そのＵＥをＣＳＧセルにハンドオーバできない。
【００１１】
さらに、上記で述べた状況は、ＵＭＴＳ（Ｕｎｉｖｅｒｓａｌ  Ｍｏｂｉｌｅ  Ｔｅｌｅｓｃｏｍｍｕｎｉｃａｔｉｏｎ  Ｓｙｓｔｅｍ）において起こり得る。例えば、ＵＥは、それが、ＣＳＧアイデンティティーがそのＵＥのＣＳＧホワイトリスト内にあるＣＳＧ／ハイブリッド・セルの近傍にあるか又はその近傍を出た場合、ＳＲＮＣ（Ｓｅｒｖｉｎｇ  Ｒａｄｉｏ  Ｎｅｔｗｏｒｋ  Ｃｏｎｔｒｏｌｌｅｒ）へその近接情報を供給する。ＵＭＴＳシステムの似た動作が原因で、前述の問題がまた生じる。
【先行技術文献】
【非特許文献】
【００１２】
【非特許文献１】３ＧＰＰ  ＴＳ  ３６．３３１  Ｖ９．０．０  ３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  Ｒａｄｉｏ  Ｒｅｓｏｕｒｃｅ  Ｃｏｎｔｒｏｌ（ＲＲＣ）；Ｐｒｏｔｏｃｏｌ  Ｓｐｅｃｉｆｉｃａｔｉｏｎ（Ｒｅｌｅａｓｅ  ９）
【非特許文献２】３ＧＰＰ  Ｒ２−０９７４４５  Ｓｌｉｇｈｔ  ｒｅｖｉｓｉｏｎ  ｏｆ  ｂａｓｅｌｉｎｅ  ＣＲ  ｃａｐｔｕｒｉｎｇ  ａｇｒｅｅｍｅｎｔｓ  ｏｎ  ｉｎｂｏｕｎｄ  ｍｏｂｉｌｉｔｙ
【非特許文献３】３ＧＰＰ  Ｒ２−０９７４６６  Ｉｎｔｒｏｄｕｃｔｉｏｎ  ｏｆ  ｎｅｔｗｏｒｋ  ｏｒｄｅｒｅｄ  ＳＩ  ｒｅｐｏｒｔｉｎｇ
【発明の概要】
【発明が解決しようとする課題】
【００１３】
本出願は、上記の問題を解決するために、無線通信システムにおける近接情報送信を扱う方法及び関連する通信装置を開示する。
【課題を解決するための手段】
【００１４】
無線通信システムにおいてアクセス可能なＣＳＧセルのリストを供給することが可能なクローズド・サブスクライバー・グループ（ＣＳＧ）ホワイトリストを有するモバイル機器に対して近接情報送信を扱う方法が開示される。当該方法は、ＣＳＧホワイトリストにおけるＣＳＧセルが検出される場合に、無線通信システムのネットワークへ送信するステップ及びその近接情報がそのネットワークによって受信されない場合、その近接情報を再送信するステップを有する。
【００１５】
無線通信システムにおいてアクセス可能なＣＳＧセルのリストを供給することが可能なクローズド・サブスクライバー・グループ（ＣＳＧ）ホワイトリストを有するモバイル機器に対して近接情報送信を扱う方法が開示される。当該方法は、そのＣＳＧホワイトリストにおけるアクセス可能なＣＳＧセルの近傍に入る場合、その無線通信システムの第１基地局にその近接情報を送信するステップ、その無線通信システムの第１基地局から第２基地局へと接続転送を実施するステップ、及びＣＳＧホワイトリストのＣＳＧセルの近傍に留まる場合にその接続転送が完了した後に近接情報を第２基地局へ再送信するステップ、を有する。
【００１６】
無線通信システムにおける第１基地局に対して近接情報を扱う方法が開示される。当該方法は、その無線通信システムのモバイル機器から近接情報を受信するステップ、及びそのモバイル機器がその接続を第１基地局から第２基地局へ転送する場合、モバイル機器が、それに含まれるＣＳＧホワイトリストにおけるＣＳＧセルの近傍に入るという信号伝達を無線通信システムの第２基地局へするステップ、を有する。
【００１７】
近接情報送信を扱うための無線通信システムの通信装置が開示される。その通信装置は、アクセス可能なＣＳＧセルのリストを供給することが可能なクローズド・サブスクライバー・グループ（ＣＳＧ）ホワイトリストを有し、そのＣＳＧホワイトリストにおけるＣＳＧセルが検出される場合、その無線通信システムのネットワークへ近接情報を送信する手段、及びその近接情報がネットワークによって受信されない場合に、そのネットワークへ近接情報を再送信する手段、を含む。
【００１８】
近接情報送信を扱うための無線通信システムの通信装置が開示される。その通信装置は、アクセス可能なＣＳＧセルのリストを供給することが可能なクローズド・サブスクライバー・グループ（ＣＳＧ）ホワイトリストを有し、そのＣＳＧホワイトリストにおけるＣＳＧセルの近傍に入る場合、その無線通信システムの第１基地局へ近接情報を送信する手段、その無線通信システムの第１基地局から第２基地局へ接続転送を実施する手段、及びＣＳＧホワイトリストにおけるＣＳＧセルの近傍に留まる場合、その接続転送が完了した後に、第２基地局へその近接情報を再送信する手段、を含む。
【００１９】
近接情報を扱うための無線通信システムの第１基地局が開示される。当該第１基地局は、その無線通信システムのモバイル機器から近接情報を受信する手段、及び、そのモバイル機器が第１基地局から第２基地局へと接続を転送する場合、そのモバイル機器が、それに含まれるＣＳＧホワイトリストにおけるＣＳＧセルの近傍に入るという信号伝達をその無線通信システムの第２基地局へする手段、を含む。
【００２０】
本発明のこれら及び他の目的は、様々な図表において説明される望ましい実施形態の以下の詳細な説明を当業者が読むことによって明らかになるはずである。
【図面の簡単な説明】
【００２１】
【図１】模範的な無線通信システムの概略図である。
【図２】模範的な通信装置の概略図である。
【図３】模範的な通信システムに対する通信プロトコル層の概略図である。
【図４】模範的なプロセスのフローチャートである。
【図５】模範的なプロセスのフローチャートである。
【図６】模範的なプロセスのフローチャートである。
【発明を実施するための形態】
【実施例】
【００２２】
１例に従って無線通信システム１０の概略図を表わす図１を参照されたい。簡潔に、無線通信システム１０は、ネットワーク及び複数のモバイル機器で構成される。その無線通信システム１０は、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ＬＴＥシステム（長期的発展型無線通信システム）又は他の似たネットワーク・システムであってよい。ＬＴＥシステムにおいて、ネットワークは、複数のｅＮＢ又はコア・ネットワーク・エンティティ（例えば、ＭＭＥと呼ばれるＭｏｂｉｌｉｔｙ  Ｍａｎａｇｅｍｅｎｔ  Ｅｎｔｉｔｙ）を含むＥ−ＵＴＲＡＮ（ｅｖｏｌｖｅｄ−ＵＴＲＡＮ）として呼ばれてよいが、一方、モバイル機器は、ユーザー機器（ＵＥ）として呼ばれる。そのＵＥは、携帯電話、コンピュータ・システムなどの機器であってよい。この用語は、簡潔化のため本出願の全体において使用される。しかし、これは、ネットワークの如何なる特定のタイプに関しても開示を限定するものとして解釈するべきではない。いくつかの例において、ネットワーク及びＵＥは、送信方向（例えば、アップリンク（ＵＬ））に従って送信機又は受信機として考えられ、ＵＥが送信機であり、ネットワークは受信機である。ダウンリンク（ＤＬ）では、ネットワークが送信機であり、ＵＥは受信機である。
【００２３】
図２は、模範的な通信装置２０の概略図を示す。通信装置２０は、図１で示されるモバイル機器１０であってもよいが、ここでは限定されない。通信装置２０は、マイクロプロセッサ又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの処理手段、保存ユニット２１０及び通信インターフェース・ユニット２２０を含んでもよい。保存ユニット２１０は、処理手段２００によるアクセスに対し、プログラム・コード２１４を保存できる如何なるデータ保存装置であってもよい。保存ユニット２１０の例は、ＳＩＭ（Ｓｕｂｓｃｒｉｂｅｒ  Ｉｄｅｎｔｉｔｙ  Ｍｏｄｕｌｅ）、ＲＯＭ（読み出し専用メモリ）、フラッシュメモリ、ＲＡＭ（ランダム・アクセス・メモリ）、ＣＤ−ＲＯＭｓ、磁気テープ、ハードディスク、及び光学データ保存装置を含むが、それらに限定されない。通信インターフェース・ユニット２２０は、望ましくは、無線送受信機であり、処理手段２００の処理結果に従ってネットワークと無線信号を交換することができる。
【００２４】
ＬＴＥシステムに対する通信プロトコル層の概略図を示す図３を参照されたい。いくつかのプロトコル層の動作は、プログラム・コード２１４において定義され、処理手段２００によって実行される。プロトコル層は、上から下まで、無線リソース制御（ＲＲＣ）層３００、ＰＤＣＰ（Ｐａｃｋｅｔ  Ｄａｔａ  Ｃｏｎｖｅｒｇｅｎｃｅ  Ｐｒｏｔｏｃｏｌ）層３１０、無線リンク制御（ＲＬＣ）層３２０、媒体アクセス制御（ＭＡＣ）層３３０、及び物理（ＰＨＹ）層３４０である。ＲＲＣ層３００は、ＲＲＣ接続管理、測定制御、ハンドオーバ、及び無線ベアラー（ＲＢｓ）を生成しリリースする責任のある無線ベアラー（ＲＢ）制御を実施するために使用される。注目すべきは、図１のネットワークのソースｅＮＢがそのモバイル機器をターゲットｅＮＢへハンドオーバする前に、そのソースｅＮＢは、ＵＥに対してハンドオーバの準備をするために必要な情報を渡すためにハンドオーバ・リクエスト（ＨＡＮＤＯＶＥＲ  ＲＥＱＵＥＳＴ）メッセージをターゲットｅＮＢ／ＭＭＥへ発行する。そのターゲットｅＮＢ／ＭＭＥがそのハンドオーバを用意し、ハンドオーバ・リクエスト肯定応答／ハンドオーバ・コマンド（ＨＡＮＤＯＶＥＲ  ＲＥＱＵＥＳＴ  ＡＣＫＮＯＷＬＥＤＧＥ／ＨＡＮＤＯＶＥＲ  ＣＯＭＭＡＮＤ）を送信した後に、ソースｅＮＢはＵＥをターゲットｅＮＢにハンドオーバすることができる。このプロセスは、以下においてハンドオーバ準備手順と呼ばれる。
【００２５】
模範的なプロセス４０のフローチャートを示す図４を参照されたい。プロセス４０は、ＵＥにおいて図１のモバイル機器として、近接情報送信を扱うために使用される。ＵＥは、アクセス可能なＣＳＧセルのリストを供給することが可能なＣＳＧホワイトリストを有する。プロセス４０は、プログラム・コード２１４にコンパイルされてよく、以下のステップを含む：
ステップ４００：開始。
【００２６】
ステップ４１０：ＣＳＧホワイトリストにおけるＣＳＧセルが検出される場合、無線通信システムのネットワークへ近接情報を送信する。
【００２７】
ステップ４２０：その近接情報がネットワークによって受信されない場合、その近接情報をネットワークへ再送信する。
【００２８】
ステップ４３０：終了。
【００２９】
プロセス４０によれば、ＵＥは、以前の近接情報がうまくネットワークへ送信されない場合、そのネットワークへその近接情報を再送信する。例えば、ＵＥは、その近接情報をネットワークへ送信するが、近接情報送信の確認のための肯定応答（例えば、ＲＬＣ肯定応答）を受信しない。よって、そのＵＥは、その近接情報をネットワークへ再送信する。さらに、ＵＥは、ハンドオーバ手順又はＲＲＣ接続再設立手順が原因で近接情報をうまく送信しないかもしれない。この状況では、ＵＥは、ハンドオーバ手順又はＲＲＣ接続再設立が完全に実施された後にその近接情報を再送信する。
【００３０】
プロセス４０は、ＵＥが近接情報送信故障をどのように扱うべきかを明確に説明する。ＵＥは、ネットワークが近接情報を受信しない場合、その近接情報を再送信する。そうすることによって、そのネットワークは、ＵＥが、ＣＳＧアイデンティティーがＣＳＧホワイトリストにあるセルの近傍に入ることを、その近接情報から知ることから、従って、そのＵＥをＣＳＧセルにハンドオーバする。近接情報再送信機構は、ここで明確に定義されており、従って、近接情報送信の信頼性を増加させる。
【００３１】
模範的なプロセス５０のフローチャートを示す図５を参照されたい。プロセス５０は、図１のモバイル機器のようにＵＥにおいて近接情報送信を扱うために使用される。ＵＥは、アクセス可能なＣＳＧセルのリストを供給することが可能なＣＳＧホワイトリストを有する。プロセス５０は、プログラム・コード２１４にコンパイルされてよく、以下のステップを含む：
ステップ５００：開始。
【００３２】
ステップ５１０：ＣＳＧホワイトリストにおけるＣＳＧセルの近傍に入る場合、無線通信システムの第１基地局へ近接情報を送信する。
【００３３】
ステップ５２０：無線通信システムの第１基地局から第２基地局への接続転送を実施する。
【００３４】
ステップ５３０：ＣＳＧホワイトリストにおけるＣＳＧセルの近傍に留まる場合、接続転送が完了した後に、第２基地局へ近接情報を再送信する。
【００３５】
ステップ５４０：終了。
【００３６】
プロセス５０に従って、ＵＥが第２基地局へ転送された後に、そのＵＥは、接続転送の前に検出されたＣＳＧセルの近傍からＵＥが出ていない場合、第２基地局へ近接情報を再送信する。その接続転送は、ハンドオーバ手順又はＲＲＣ接続再設立手順であってよい。言いかえれば、ＵＥは、ＣＳＧセルの近傍に留まる場合、そのＵＥが、第１基地局から第２基地局へその接続を転送するためにハンドオーバ手順又はＲＲＣ接続再設立手順を完全に実施した後に、近接情報を第２基地局へ再送信する。従って、第２基地局は、ＵＥがＣＳＧセルの近傍に入ることをその近接情報から知ることから、ＵＥをＣＳＧセルにハンドオーバするか、又はシステム情報（ＳＩ）報告でＵＥの設定をする。
【００３７】
プロセス５０に基づく例を考慮する。ＵＥは、ソースｅＮＢへ接続し、そのソースｅＮＢによって近接の指示報告の設定がされる。ＣＳＧアイデンティティーがＵＥのＣＳＧホワイトリスト内にあるセルの近傍に入る場合、ＵＥは、第１近接情報（例えば、「入る（ｅｎｔｅｒｉｎｇ）」近接情報）をソースｅＮＢへ送信する。その間、そのソースｅＮＢは、ＵＥをハンドオーバ・コマンドによってターゲットｅＮＢにハンドオーバする。そのハンドオーバ・コマンドは、ＵＥがハンドオーバ手順の後にターゲットｅＮＢへ近接情報を送信することが許可されるように、そのターゲットｅＮＢへの近接の指示報告を有効化する。ＵＥがターゲットｅＮＢにハンドオーバされた後でもＵＥがＣＳＧセルの近傍に入る（つまり、ＵＥは全てのＣＳＧセルの近傍から決して出ない）場合、ターゲットｅＮＢへ第１近接情報を送信する。従って、ターゲットｅＮＢは、ＵＥをＣＳＧセルにハンドオーバするか、又は、ターゲットｅＮＢが、そのＵＥがＣＳＧセルの近傍に入ることを第１近接情報から知るため、ＳＩ報告でＵＥの設定をする。
【００３８】
さらに、ＵＥがターゲットｅＮＢにハンドオーバされた後に、ＵＥは、ＣＳＧセルの近傍を出る（つまり、ＵＥが、全てのＣＳＧセルの近傍を出る）場合、第２近接情報（例えば、「出る（ｌｅａｖｉｎｇ）」近接情報）をターゲットｅＮＢへ送信する。従って、ターゲットｅＮＢは、ＵＥがＣＳＧセルの近傍を出ることを知ることから、ＵＥに対して不必要なアクション（例えば、ＵＥをＣＳＧホワイトリストにおけるＣＳＧセルにハンドオーバする）を実施しない。注目すべきは、ＵＥは、ソースｅＮＢが、ＵＥがＣＳＧセルの近傍に入るという信号伝達をターゲットｅＮＢにする場合及びその場合のみ、第２近接情報をターゲットｅＮＢにすることである。そうでなければ、ターゲットｅＮＢは、ＵＥがＣＳＧセルの近傍に入っていることを知らないため、第２近接情報に対する送信電力をセーブするために、ＵＥは第２近接情報を送信する必要は無い。言いかえれば、ＵＥは、ソースｅＮＢによって設定された近接の指示報告に関する設定を消去する。従って、ＵＥは、ＣＳＧホワイトリストにおけるＣＳＧセルの近傍に入るまで、ハンドオーバの後に近接情報をターゲットｅＮＢに送信しない。
【００３９】
模範的なプロセス６０のフローチャートを示す図６を参照されたい。プロセス６０は、図１のネットワーク（例えば、ｅＮＢ又は基地局）において近接情報送信を扱うために使用される。プロセス６０は、プログラム・コード２１４にコンパイルされてもよく、以下のステップを含む：
ステップ６００：開始。
【００４０】
ステップ６１０：無線通信システムのＵＥから近接情報を受信する。
【００４１】
ステップ６２０：ＵＥが無線通信システムの第１基地局から第２基地局へ接続を転送する場合、ハンドオーバ準備手順の間に、ＵＥに含まれるＣＳＧホワイトリストにおけるＣＳＧセルの近傍にＵＥが入るという信号伝達をその無線通信システムの第２基地局へする。
【００４２】
ステップ６３０：終了。
【００４３】
プロセス６０に従って、第２基地局は、ＵＥが第１基地局から第２基地局へ接続転送をする場合、その第１基地局によってＣＳＧの近傍に入ることを通知される。従って、第２基地局は、ＳＩ報告でＵＥを設定する又はＵＥをＣＳＧセルにハンドオーバすることができるように、ＵＥがＣＳＧセルの近傍にあることを知っている。
【００４４】
プロセス６０に基づいた例を考慮する。ＵＥは、ソースｅＮＢに接続し、そのソースｅＮＢによって近接の指示報告で設定される。ＵＥのＣＳＧホワイトリストにおけるＣＳＧアイデンティティーを持つセルの近傍にＵＥが入る場合、ＵＥは、第１近接情報をソースｅＮＢへ送信する。そのソースｅＮＢがＵＥをターゲットｅＮＢにハンドオーバする前（つまり、ハンドオーバ準備手順の間）に、ソースｅＮＢは、ＵＥがＣＳＧセルの近傍に入るという信号伝達をターゲットｅＮＢへする。従って、ＵＥがターゲットｅＮＢにハンドオーバされた後に、そのターゲットｅＮＢは、ＵＥがＣＳＧセルの近傍にあることをソースｅＮＢにより知っているため、近接指示報告、ＳＩ報告を設定する又はＵＥをＣＳＧセルにハンドオーバすることができる。さらに、ソースｅＮＢは、ハンドオーバ準備手順の間に、ターゲットｅＮＢにＳＩ報告設定の信号伝達をしてもよい。例えば、ＵＥは、ソースｅＮＢに接続し、ＳＩレポートをソースｅＮＢに送信する。ソースｅＮＢがＵＥをターゲットｅＮＢにハンドオーバする前に、ソースｅＮＢは、ＳＩレポートの情報をターゲットｅＮＢへ信号伝達する。従って、ターゲットｅＮＢは、ＵＥがＣＳＧセルの近傍に入ることをソースｅＮＢにより知ることから、近接の指示報告、ＳＩ報告を設定し、ＵＥをＣＳＧセルにハンドオーバすることができる。
【００４５】
注目すべきは、提案されたステップを含む上記のプロセスのステップは、ハードウェア、ハードウェア・デバイスとコンピュータ・インストラクションとそのハードウェア・デバイスにおける読み出し専用ソフトウェアとして存在するデータとの組み合わせとして知られるファームウェアによって実現される。ハードウェアの例は、マイクロ回路、マイクロチップ又はシリコンチップとして知られるアナログ、デジタル及び混合回路を含みうる。電子システムの例は、システム・オン・チップ（ＳＯＣ）、システム・イン・パッケージ（Ｓｉｐ）、コンピュータ・オン・モジュール（ＣＯＭ）及び通信装置２０を含む。
【００４６】
結論において、模範的な例及び手段が、接続転送が生じる場合、近接情報を正確に送信するように、ＵＥで設定された近接情報送信における近接情報送信を扱うために、提供される。
【００４７】
当業者は、本発明の教示を維持する一方、本発明の装置及び方法の多数の改良形及び変形を容易に理解するであろう。従って、上記の開示は、添付の請求項の範囲及び計測によってのみ限定されるものとして解釈されるべきでない。
【符号の説明】
【００４８】
１０…無線通信システム
２０…通信装置
２００…処理手段
２１０…保存ユニット
２２０…通信インターフェース・ユニット
２１４…プログラム・コード
３００…無線リソース制御（ＲＲＣ）層
３１０…パケットデータ収束プロトコル（ＰＤＣＰ）層
３２０…無線リンク制御（ＲＬＣ）層
３３０…媒体アクセス制御（ＭＡＣ）層
３４０…物理（ＰＨＹ）層
４０…プロセス
５０…プロセス
６０…プロセス
【図１】
2011097591.tif 000003
【図２】
2011097591.tif 000004
【図３】
2011097591.tif 000005
【図４】
2011097591.tif 000006
【図５】
2011097591.tif 000007
【図６】
2011097591.tif 000008